(57)【特許請求の範囲】
【請求項１】
異なる電力供給ラインを通して電源から電力が供給される、第１ユニット、第２ユニットを含むユニットを備え、前記電源から前記第１ユニット及び前記第２ユニットに電力が供給される第１電力状態と、前記第２ユニットのみに電力が供給される第２電力状態と、前記第１ユニット、第２ユニットを含むすべてのユニットに電力が供給される第３電力状態とを取り得る電子機器に用いられるデータバックアップシステムであって、
前記第１ユニットに含まれ、データを記憶する揮発性の第１記憶手段と、
前記第１ユニットに含まれ、前記電源から前記第１ユニットへの電力供給が停止されているときに、前記第１記憶手段に電力を供給する二次電池と、
前記第１ユニットに含まれ、前記電源から前記第１ユニットに電力が供給されているときに、前記二次電池を充電する充電手段と、
常時稼働し、時刻を計時する計時手段と、
前記電源から前記第１ユニットに対する電力供給が停止される際に、前記計時手段から取得される時刻を電力供給停止時刻として記憶する、不揮発性の、又は常時バックアップされている第２記憶手段と、
前記第１ユニットに含まれ、前記電源を制御して前記第３電力状態から前記第１電力状態又は第２電力状態へ電力状態を切替える制御手段と、を備え、
前記制御手段は、前記第１ユニットに対する電力供給が開始されたときに、前記計時手段から電力供給開始時刻を取得し、該電力供給開始時刻と前記第２記憶手段に記憶されている前記電力供給停止時刻とから前記第１ユニットへの電力供給が停止されていた電力供給停止時間を求め、該電力供給停止時間に応じて前記二次電池の残容量を示すカウンタ値を減算するとともに、前記第１ユニットに対して電力供給が行なわれているときに、電力が供給されている電力供給時間に応じて前記カウンタ値を加算し、かつ、前記第３電力状態から前記第２電力状態への移行要求が発生したときに、前記カウンタ値がしきい値以上の場合には、前記第２電力状態へ移行するように前記電源を制御し、前記カウンタ値が前記しきい値未満の場合には、前記第１電力状態へ移行するように前記電源を制御することを特徴とするデータバックアップシステム。
【請求項２】
前記第２記憶手段は、主電源スイッチがオフされた際、又は、前記第３電力状態から前記第２電力状態へ移行する際に、前記計時手段から取得される電力供給停止時刻を記憶し、
前記制御手段は、主電源スイッチがオンされた際、又は、前記第２電力状態から前記第３電力状態へ復帰した際に、前記計時手段から電力供給開始時刻を取得し、該電力供給開始時刻と前記第２記憶手段に記憶されている前記電力供給停止時刻とから前記第１ユニットへの電力供給が停止されていた電力供給停止時間を求め、該電力供給停止時間に応じて前記カウンタ値を減算することを特徴とする請求項１に記載のデータバックアップシステム。
【請求項３】
前記しきい値は、前記二次電池が満充電であることを示す値に設定されていることを特徴とする請求項１又は２に記載のデータバックアップシステム。
【請求項４】
前記制御手段は、前記カウンタ値が満充電を示す値に達した場合に、前記二次電池に供給される充電電流を低減するように前記充電手段を制御することを特徴とする請求項１〜３のいずれか１項に記載のデータバックアップシステム。
【請求項５】
前記第２ユニットは、補助制御手段を備え、
前記補助制御手段は、前記第２電力状態にあるときに、所定の復帰条件が成立するか否かを監視するとともに、該所定の復帰条件が成立したときに、前記第２電力状態から前記第３電力状態への復帰信号を前記電源へ出力し、
前記電源は、前記復帰信号に基づいて、前記第１ユニットに対する電力供給を開始することを特徴とする請求項１〜４のいずれか１項に記載のデータバックアップシステム。
【請求項６】
前記電子機器は、画像データを用紙に印刷する印刷装置であることを特徴とする請求項１〜５のいずれか１項に記載のデータバックアップシステム。
【請求項７】
前記電子機器は、画像データを送受信するファクシミリ装置であることを特徴とする請求項１〜５のいずれか１項に記載のデータバックアップシステム。
【請求項８】
前記電子機器は、原稿を読み取って画像データを生成し、該画像データを印刷する複写装置であることを特徴とする請求項１〜５のいずれか１項に記載のデータバックアップシステム。
【請求項９】
前記電子機器は、ネットワークを介してデータを送受信するネットワーク端末であることを特徴とする請求項１〜５のいずれか１項に記載のデータバックアップシステム。
【発明の詳細な説明】
【技術分野】
【０００１】
本発明は、データバックアップシステムに関し、特に、低消費電力状態を取り得る電子機器に用いられるデータバックアップシステムに関する。
【背景技術】
【０００２】
近年、ＣＯ２排出量削減などの観点から、電子機器の低消費電力化が社会的に求められている。例えばＬＡＮなどのネットワークに接続して使用されるネットワークプリンタにおいては、待機時にプリンタコントローラ、プリンタエンジンなどへの電力供給を停止する低消費電力状態（省エネルギー状態）に移行することにより機器の省電力化を図ったものが知られている（例えば特許文献１参照）。
【０００３】
このようなネットワークプリンタなどでは、画像データなどを記憶するメモリとして、例えば、比較的安価で大容量のＤＲＡＭなどが好適に用いられている。ここで、ＤＲＡＭなどの揮発性のメモリを用いる場合、電力の供給が停止される低消費電力状態において、記憶されている画像データ等を保持するため、二次電池などを用いたメモリのバックアップが行われる。
【０００４】
ところで、ネットワークプリンタなどでは、待機状態、すなわち低消費電力状態が長く続くことが起こりうる。そのため、二次電池からメモリに電力が供給される放電状態が、電源からメモリに電力が供給されるとともに二次電池が充電される状態と比較して長くなることが起こり得る。その結果、二次電池の充電量よりも放電量の方が多くなり、すなわち二次電池の充放電バランスが崩れ、二次電池の残容量が低下し、電源からの電力供給が停止されたときに、メモリをバックアップできなくなるおそれがある。
【０００５】
ここで、特許文献２には、バックアップ用電源（例えばニッケルカドニウム電池）の電圧を検知し、電圧が低くなっているときには、メインスイッチの切断操作が行われたときにもバックアップ用電源への給電を継続させる技術が開示されている。
【先行技術文献】
【特許文献】
【０００６】
【特許文献１】特開２００１−２１３０２９号公報
【特許文献２】特開平４−３３６７４５号公報
【発明の概要】
【発明が解決しようとする課題】
【０００７】
しかしながら、電圧値だけでは二次電池の残容量を正確に検知することは困難である。すなわち、二次電池では無負荷の状態では電圧が出ていたとしても、負荷がかかったときに電圧がドロップすることが起こり得る。よって、電圧は出ているが二次電池の充電が充分ではないときに電力供給が停止されると、メモリをバックアップすることができず、メモリに記憶されていたデータが消失してしまうおそれがある。
【０００８】
本発明は、上記問題点を解消する為になされたものであり、低消費電力状態を取り得る電子機器に用いられるデータバックアップシステムであって、電源からの電力供給が停止されたときにメモリをバックアップする二次電池の残容量をより正確に把握でき、メモリに記憶されているデータのバックアップをより確実に行うことが可能なデータバックアップシステムを提供することを目的とする。
【課題を解決するための手段】
【０００９】
本発明に係るデータバックアップシステムは、異なる電力供給ラインを通して電源から電力が供給される、第１ユニット、第２ユニットを少なくとも備え、電源から第１ユニット及び第２ユニットに電力が供給される第１電力状態と、第２ユニットのみに電力が供給される第２電力状態とを取り得る電子機器に用いられるデータバックアップシステムであって、第１ユニットに含まれ、データを記憶する揮発性の第１記憶手段と、第１ユニットに含まれ、電源から第１ユニットへの電力供給が停止されているときに、第１記憶手段に電力を供給する二次電池と、第１ユニットに含まれ、電源から第１ユニットに電力が供給されているときに、二次電池を充電する充電手段と、常時稼働し、時刻を計時する計時手段と、電源から第１ユニットに対する電力供給が停止される際に、計時手段から取得される時刻を電力供給停止時刻として記憶する、不揮発性の、又は常時バックアップされている第２記憶手段と、第１ユニットに含まれ、電源を制御して第１電力状態から第２電力状態へ電力状態を切替える制御手段とを備え、該制御手段が、第１ユニットに対する電力供給が開始されたときに、計時手段から電力供給開始時刻を取得し、該電力供給開始時刻と第２記憶手段に記憶されている電力供給停止時刻とから第１ユニットへの電力供給が停止されていた電力供給停止時間を求め、該電力供給停止時間に応じて二次電池の残容量を示すカウンタ値を減算するとともに、第１ユニットに対して電力供給が行なわれているときに、電力が供給されている電力供給時間に応じてカウンタ値を加算し、かつ、第１電力状態から第２電力状態への移行要求が発生したときに、カウンタ値がしきい値以上の場合には、第２電力状態へ移行するように電源を制御し、カウンタ値がしきい値未満の場合には、第２電力状態への移行を禁止することを特徴とする。
【００１０】
本発明に係るデータバックアップシステムによれば、第１ユニットに対する電源からの電力供給が停止されるときに、電力供給停止時刻が第２記憶手段に記憶される。一方、第１ユニットに対する電力供給が開始されたときに、計時手段から電力供給開始時刻が取得され、該電力供給開始時刻と第２記憶手段に記憶されている電力供給停止時刻とから第１ユニットへの電力供給が停止されていた電力供給停止時間が求められる。そして、求められた電力供給停止時間（すなわち、二次電池の放電時間）に応じて、二次電池の残容量を示すカウンタ値が減算される。一方、第１ユニットに対して電力供給が行なわれているときに、電力が供給されている電力供給時間（すなわち、充電手段により二次電池が充電されている時間）に応じて、カウンタ値が加算される。そのため、カウンタ値から二次電池の残容量を正確に把握することができる。そして、第１電力状態から第２電力状態への移行要求が発生したときに、カウンタ値がしきい値以上の場合には、第２電力状態へ移行し（すなわち、電源を制御して第１ユニットに対する電力供給を停止し）、カウンタ値がしきい値未満の場合には、第２電力状態への移行が禁止される。よって、二次電池の残容量が充分でないときには、第１ユニットに対する電力供給が維持され、二次電池に対する充電が継続される。以上の結果、電源からの電力供給が停止されたときに第１記憶手段をバックアップする二次電池の残容量をより正確に把握でき、第１記憶手段に記憶されているデータのバックアップをより確実に行うことが可能となる。
【００１１】
本発明に係るデータバックアップシステムでは、第２記憶手段が、主電源スイッチがオフされた際、又は、第１電力状態から第２電力状態へ移行する際に、計時手段から取得される電力供給停止時刻を記憶し、制御手段が、主電源スイッチがオンされた際、又は、第２電力状態から第１電力状態へ復帰した際に、計時手段から電力供給開始時刻を取得し、該電力供給開始時刻と第２記憶手段に記憶されている電力供給停止時刻とから第１ユニットへの電力供給が停止されていた電力供給停止時間を求め、該電力供給停止時間に応じて上記カウンタ値を減算することが好ましい。
【００１２】
この場合、主電源スイッチがオフされたとき、又は、第２電力状態へ移行する際に、電力供給停止時刻が第２記憶手段に記憶される。一方、主電源スイッチがオンされたとき、又は、第２電力状態から第１電力状態へ復帰した際に、電力供給開始時刻が取得され、該電力供給開始時刻と第２記憶手段に記憶されている電力供給停止時刻とから第１ユニットへの電力供給が停止されていた電力供給停止時間が求められる。よって、第１ユニットへの電力供給が停止されていた電力供給停止時間を正確に求めることができ、二次電池の放電量を正確に把握することが可能となる。
【００１３】
本発明に係るデータバックアップシステムでは、上記しきい値が、二次電池が満充電であることを示す値に設定されていることが好ましい。
【００１４】
このようにすれば、二次電池が満充電されるまで、第２電力状態への移行が禁止され、二次電池への充電が継続される。よって、二次電池が満充電されるように制御することができる。
【００１５】
本発明に係るデータバックアップシステムでは、カウンタ値が、満充電を示す値に達した場合に、制御手段が、二次電池に供給される充電電流を低減するように充電手段を制御することが好ましい。
【００１６】
この場合、二次電池が満充電となった場合に充電電流が低減されるため、二次電池の過充電を防止し、二次電池の劣化を防止することが可能となる。
【００１７】
本発明に係るデータバックアップシステムでは、上記第２ユニットが、補助制御手段を備え、第２電力状態にあるときに、補助制御手段が、所定の復帰条件が成立するか否かを監視するとともに、該所定の復帰条件が成立したときに、第２電力状態から第１電力状態への復帰信号を電源へ出力し、復帰信号に基づいて、電源が、第１ユニットに対する電力供給を開始することが好ましい。
【００１８】
この場合、第２電力状態にあるときに、第２電力状態においても電力が供給される補助制御手段により、所定の復帰条件が成立するか否かが監視され、所定の復帰条件が成立したときに、第２電力状態から第１電力状態への復帰信号が電源へ出力される。そして、電源からの第１ユニットに対する電力供給が開始される。よって、適確に第１電力状態に復帰することが可能となる。
【００１９】
本発明に係るデータバックアップシステムでは、上記電子機器が、画像データを用紙に印刷する印刷装置であることが好ましい。この場合、低消費電力状態を取り得る印刷装置において、第１記憶部に記憶されている画像データのバックアップを確実に行うことができる。
【００２０】
本発明に係るデータバックアップシステムでは、上記電子機器が、画像データを送受信するファクシミリ装置であることが好ましい。この場合、低消費電力状態を取り得るファクシミリ装置において、送受信される画像データのバックアップを確実に行うことができる。
【００２１】
本発明に係るデータバックアップシステムでは、上記電子機器が、原稿を読み取って画像データを生成し、該画像データを印刷する複写装置であることが好ましい。この場合、低消費電力状態を取り得る複写装置において、原稿を読み取って生成された画像データのバックアップを確実に行うことができる。
【００２２】
本発明に係るデータバックアップシステムでは、上記電子機器が、ネットワークを介してデータを送受信するネットワーク端末であることが好ましい。この場合、低消費電力状態を取り得るネットワーク端末において、ネットワークを介して送受信されるデータのバックアップを確実に行うことができる。
【発明の効果】
【００２３】
本発明によれば、低消費電力状態を取り得る電子機器に用いられるデータバックアップシステムにおいて、電源からの電力供給が停止されたときにメモリをバックアップする二次電池の残容量をより正確に把握でき、メモリに記憶されているデータのバックアップをより確実に行うことが可能となる。
【図面の簡単な説明】
【００２４】
【図１】実施形態に係るデータバックアップシステムが用いられたネットワーク複合機の外観を示す斜視図である。
【図２】実施形態に係るデータバックアップシステムが用いられたネットワーク複合機の正面断面図である。
【図３】実施形態に係るデータバックアップシステムが用いられたネットワーク複合機の構成を示すブロック図である。
【図４】実施形態に係るデータバックアップシステムが用いられたネットワーク複合機の電力供給系統を示す図である。
【図５】実施形態に係るデータバックアップシステムによる、通常モードから省電力モードへの移行処理の処理手順を示すフローチャートである。
【図６】実施形態に係るデータバックアップシステムによる、主電源がオフされたときのオフ処理の処理手順を示すフローチャートである。
【図７】実施形態に係るデータバックアップシステムによる、主電源がオンされたとき又は省電力モードから通常モードへ復帰するときの復帰処理の処理手順を示すフローチャートである。
【図８】実施形態に係るデータバックアップシステムによる、待機モードから通常モードへの復帰処理の処理手順を示すフローチャートである。
【図９】実施形態に係るデータバックアップシステムによる、二次電池の充放電制御を説明するための図である。
【図１０】二次電池の放電特性を示すグラフである。
【発明を実施するための形態】
【００２５】
以下、図面を参照して本発明の好適な実施形態について詳細に説明する。なお、各図において、同一要素には同一符号を付して重複する説明を省略する。なお、ここでは、実施形態に係るデータバックアップシステムをネットワーク複合機（ＭＦＰ）に適用した場合を例にして説明する。まず、図１〜図４を併せて用いて、データバックアップシステム２が用いられたネットワーク複合機１の全体構成について説明する。図１は、データバックアップシステム２が用いられたネットワーク複合機１の外観を示す斜視図であり、図２は、ネットワーク複合機１の正面断面図である。また、図３は、データバックアップシステム２を含むネットワーク複合機１の構成を示すブロック図であり、図４は、データバックアップシステム２を含むネットワーク複合機１の電力供給ラインを示す図である。
【００２６】
ネットワーク複合機１は、待機時などに低消費電力状態（待機モード、省電力モード、詳細は後述する）を取り得るネットワーク複合機である。ネットワーク複合機１は、ＬＡＮを介して接続されているパーソナルコンピュータなどから受信したプリントデータを用紙に記録するＰＣプリント機能、原稿を読み取り画像データを生成するスキャナ機能、読み取り生成した画像データを用紙に記録するコピー機能、及びファクシミリ通信により受信した画像データを用紙に記録するＦＡＸ受信機能を備えている。また、ネットワーク複合機１は、読み取った画像データをファクシミリ送信するＦＡＸ送信機能に加え、外部のパーソナルコンピュータなどから受信した画像データをファクシミリ送信するＰＣ−ＦＡＸ機能を備えている。さらに、ネットワーク複合機１は、電子メールを利用してＩＰ網経由で画像データを送受信するインターネットＦＡＸ（ＩＦＡＸ）機能等も有している。
【００２７】
これらの各機能を実現するためにネットワーク複合機１は、パネル部１０、スキャナ部１１、プリンタ部１２、ネットワーク部１３、モデム１４、ＮＣＵ１５、システムＬＳＩ１６、及び、画像／符号メモリ１７を備えている。
【００２８】
また、ネットワーク複合機１は、プログラムに従って演算・処理を実行するメインＣＰＵ２０、メインＣＰＵ２０に各処理を実行させるためのプログラム、データ等を記憶する不揮発性メモリであるＲＯＭ２１、起動時にＲＯＭ２１からロードされるプログラム等を記憶する揮発性の高速メモリであるメインメモリ２２、演算結果、電力停止時刻等の各種データを一時的に記憶するＳＲＡＭ２３、時刻を計時するＲＴＣ（Ｒｅａｌ  Ｔｉｍｅ  Ｃｌｏｃｋ）２４、及び、省電力モードからの復帰トリガとしてのＦＡＸ着呼、省電力モードキー入力、ＰＣプリントデータ受信などを監視するとともに、いずれかの復帰トリガが検知されたときに復帰信号（復帰トリガ信号）を出力するサブＣＰＵ２５等を備えている。なお、上記各部はバス４０などの通信路で相互に通信可能に接続されている。また、メインＣＰＵ２０は、メインメモリ２２にロードされ記憶されているプログラムを実行することにより、データバックアップシステム２を含むネットワーク複合機１を統合的に制御し、各機能を実現する。
【００２９】
また、ネットワーク複合機１は、ＤＣ２４Ｖ，ＤＣ５Ｖ，ＤＣ３．３Ｖの３つの電力供給ラインを通してネットワーク複合機１を構成する各ユニットに電力を供給する主電源３０を備えている。主電源３０は、ＡＣ１００ＶからＤＣ２４Ｖを生成するＡＣ−ＤＣコンバータと、ＡＣ−ＤＣコンバータにより生成されたＤＣ２４ＶからＤＣ５Ｖを生成するＤＣ−ＤＣコンバータ（レギュレータ）と、ＤＣ５ＶからＤＣ３．３Ｖを生成するＤＣ−ＤＣコンバータ（レギュレータ）とを備え、３チャンネルの直流電圧（２４Ｖ，５Ｖ，３．３Ｖ）を出力する。
【００３０】
さらに、ネットワーク複合機１は、ＳＲＡＭ２３及びＲＴＣ２４に対して主電源３０からの電力供給が停止されたとき（後述する省電力モード時、主電源オフ時）にＳＲＡＭ２３及びＲＴＣ２４に電力を供給する一次電池３１、主電源３０からの電力が供給されているとき（後述する通常モード時、待機モード時）に二次電池３３を充電する充電回路３２、及び、画像／符号メモリ１７に対する主電源３０からの電力供給が停止されたとき（後述する省電力モード時、主電源オフ時）に画像／符号メモリ１７に電力を供給してデータのバックアップを行う二次電池３３等を備えている。
【００３１】
図４に示されるように、上述したネットワーク複合機１を構成する各ユニット（構成要素）は、ＤＣ２４Ｖの電力が供給される２４Ｖ系ユニット、ＤＣ５Ｖの電力が供給される５Ｖ系ユニット（特許請求の範囲に記載の第１ユニットに相当）、及び、ＤＣ３．３Ｖの電力が供給される３．３Ｖ系ユニット（特許請求の範囲に記載の第２ユニットに相当）に分けられる。２４Ｖ系ユニットには、例えば、各種ローラを駆動する電動モータ、帯電ワイヤ、及び現像ローラ等が含まれる。５Ｖ系ユニットには、上述した各モジュール１０〜１５、システムＬＳＩ１６、画像／符号メモリ１７、メインＣＰＵ２０、ＲＯＭ２１、メインメモリ２２、ＳＲＡＭ２３、ＲＴＣ２４、及び充電回路３２等が含まれる。また、３．３Ｖ系ユニットには、サブＣＰＵ２５が含まれる。
【００３２】
ＤＣ２４Ｖ、ＤＣ５Ｖ、及びＤＣ３．３Ｖの電力を供給する３つの電力供給ラインは、それぞれ独立して電力の供給／停止が制御できるように構成されている。また、ネットワーク複合機１は、３つの電力状態（モード）、すなわち、３．３Ｖ系ユニット、５Ｖ系ユニット、２４Ｖ系ユニットすべてに電力が供給される通常モード（ＮＯＲＭＡＬ  ＭＯＤＥ）、２４Ｖ系ユニットへの電力供給が停止される（３．３Ｖ系ユニット、５Ｖ系ユニットに電力が供給される）待機モード（ＬＩＧＨＴ  ＳＬＥＥＰ  ＭＯＤＥ、特許請求の範囲に記載の第１電力状態に相当）、及び、２４Ｖ系ユニットに加え５Ｖ系ユニットへの電力供給も停止される（すなわち、３．３Ｖ系ユニットのみに電力が供給される）省電力モード（ＤＥＥＰ  ＳＬＥＥＰ  ＭＯＤＥ、特許請求の範囲に記載の第２電力状態に相当）を取り得るように構成されている。以下、ネットワーク複合機１を構成する構成要素（モジュール）について詳細に説明する。
【００３３】
パネル部１０は、ネットワーク複合機１の動作状態及び／又は各種設定内容等を表示するＬＣＤ等の表示装置を有している。また、パネル部１０には、ネットワーク複合機１の各機能を利用するために用いられる複数のキー、例えば、テンキー、短縮キー、スタートキー、ストップキー、及び各種のファンクションキー等が設けられている。さらに、パネル部１０には、省電力モードへの移行／復帰を行うための省電力モード移行キー、及び、主電源３０のオン／オフを行う主電源スイッチ３５が設けられている。
【００３４】
スキャナ部１１は、光源及びＣＣＤ等によって構成されており、紙文書等の原稿を設定された副走査線密度に応じてライン毎に読み取り、画像データを生成する。
【００３５】
より詳細には、図１，２に示されるように、スキャナ部１１の上部には、原稿トレイ１１００が設けられている。原稿トレイ１１００にセットされた原稿は、自動原稿送り装置（ＡＤＦ）１１０１によって搬送される。より具体的には、原稿トレイ１１００にセットされた原稿は、ピックアップローラ１１０２によりピックアップされ、分離ローラ１１０３によって１枚ずつ分離された後、駆動ローラ１１０４へ搬送される。駆動ローラ１１０４の周囲には２つの従動ローラ１１０５，１１０６が配置されており、これらのローラ対によって、原稿は、駆動ローラ１１０４外周の湾曲した搬送路に沿って搬送される。搬送された原稿は、搬送路の下側に配置された読取装置１１０７によって読み取られた後、排出ローラ対１１０８によって原稿排出トレイ１１０９へ排出される。読み取られて生成された画像データは、システムＬＳＩ１６を介してプリンタ部１２、又は画像／符号メモリ１７へ出力される。なお、各ローラを駆動するための電動モータはＤＣ２４Ｖで駆動される。一方、原稿を読み取るための読取装置１１０７はＤＣ５Ｖで稼働する。
【００３６】
プリンタ部１２は、電子写真方式のプリンタであり、スキャナ部１１で読み取られた画像データの他、パーソナルコンピュータなどから入力される画像データ、及びＦＡＸ、ＩＦＡＸ等で受信された画像データを用紙にプリントアウトする。
【００３７】
より詳細には、図１，２に示されるように、プリンタ部１２には、用紙に画像を記録する記録装置１２００と、記録装置１２００へ用紙を供給する給紙装置１２０１が設置されている。給紙装置１２０１は、用紙を収容する用紙カセット１２０２を備えている。用紙カセット１２０２内に載置された用紙１２０３は、用紙カセット１２０２の上方に配置されたピックアップローラ１２０４によって搬送路１２０５上にピックアップされる。そして、ピックアップされた用紙は、駆動ローラ１２０７と従動ローラ１２０８とからなる給紙ローラ対１２０６によってレジストローラ対１２０９に向けて搬出される。
【００３８】
プリント処理が行われる際には、給紙装置１２０１から給紙された用紙１２０３が、レジストローラ対１２０９によって一旦レジストされた後、所定のタイミングで記録装置１２００へ搬送される。記録装置１２００は、搬送路１２０５に沿って配置された画像形成ユニット１２１０と定着ユニット１２１１とを有している。
【００３９】
画像形成ユニット１２１０は、感光体ドラム１２１２の周囲に配置された帯電ローラ１２１３、ＬＥＤユニット１２１４、現像ローラ１２１５、及び転写ローラ１２１６によって構成されている。画像形成ユニット１２１０では、まず、感光体ドラム１２１２が帯電ローラ１２１３によって一様に帯電された後、ＬＥＤユニット１２１４によって感光体ドラム１２１２に静電潜像が形成される。そして、トナー室１２１７内のトナーを保持した現像ローラ１２１５から感光体ドラム１２１２の静電潜像上にトナーが移転されることにより、感光体ドラム１２１２上にトナー画像が形成される。続いて、感光体ドラム１２１２と、電圧が印加された転写ローラ１２１６とによって、搬送されて来た用紙を挟むことにより、感光体ドラム１２１２上のトナー画像が用紙に転写される。
【００４０】
定着ユニット１２１１は、ヒートローラ１２１８及びプレスローラ１２１９によって構成されている。トナー画像が転写された用紙をヒートローラ１２１８とプレスローラ１２１９とによって挟んで搬送することにより、トナー画像が形成された用紙は加熱されると共に加圧され、トナーが用紙に定着し、プリント処理が完了する。画像がプリントされた用紙は、排出ローラ対１２２０によって排紙トレイ１２２１上へ排紙される。なお、各ローラを駆動するための電動モータ、帯電電圧、現像電圧、転写電圧などにはＤＣ２４Ｖが供給される。一方、ＬＥＤユニット１２１４などはＤＣ５Ｖで稼働する。
【００４１】
ネットワーク部１３は、各種通信プロトコルの送受信制御処理、及び各種通信プロトコル上のデータ解析処理及びデータ作成処理を行なうネットワークインターフェースを有している。なお、待機モード時、省電力モード時であっても、例えばＰＣプリントデータ等を待ち受けるために、ネットワーク部１３の受信回路等には電力が供給される。また、ネットワーク部１３は、インターネット環境を利用したＩＦＡＸ機能を司る。ネットワーク部１３は、ＳＭＴＰ（Ｓｉｍｐｌｅ  Ｍａｉｌ  Ｔｒａｎｓｆｅｒ  Ｐｒｏｔｏｃｏｌ）に従って電子メールを送信する機能、及び、ＰＯＰ（Ｐｏｓｔ  Ｏｆｆｉｃｅ  Ｐｒｏｔｏｃｏｌ）に従って電子メールを受信する機能を有している。ネットワーク部１３は、送信原稿をＴＩＦＦ形式等の画像データとして電子メールに添付し、メールアドレス（ＳＭＴＰサーバ）宛てに送信する。また、ネットワーク部１３は、設定された時間毎にＰＯＰサーバから電子メールを受信して添付ファイルをプリントアウトする。
【００４２】
モデム（変復調器）１４は、ディジタル信号とアナログ信号との間の変復調を行なう。また、モデム１４は、ディジタル命令信号（ＤＣＳ）等の各種機能情報の発生及び検出を行なう。ＮＣＵ（Ｎｅｔｗｏｒｋ  Ｃｏｎｔｒｏｌ  Ｕｎｉｔ）１５は、モデム１４と接続されており、モデム１４と公衆交換電話網（ＰＳＴＮ）との接続を制御する。また、ＮＣＵ１５は、送信先のファクシミリ番号に対応した呼出信号の送出、及びその着信を検出する機能を備えている。
【００４３】
システムＬＳＩ１６は、画像処理などを専門に実行する専用ＬＳＩである。システムＬＳＩ１６は、スキャナ部１１及びプリンタ部１２等と接続されており、例えば、スキャナ部１１で読み取られた画像データに対して、所定の画像処理を施した後に、プリンタ部１２に出力する。
【００４４】
システムＬＳＩ１６には、画像／符号メモリ１７が接続されている。画像／符号メモリ１７は、揮発性のメモリであるＤＲＡＭ等で構成されており、コーデックで符号化圧縮された画像データ、ＦＡＸ受信された画像データ、及び、外部のパーソナルコンピュータ等から受信されて符号化圧縮された画像データ等を記憶する。画像／符号メモリ１７は、特許請求の範囲に記載の第１記憶手段に相当する。画像／符号メモリ１７には、通常モード、待機モードでは、主電源３０からダイオードＤ３を介して電力が供給される（図４の一点鎖線参照）。一方、主電源オフ時及び省電力モードでは、二次電池３３からダイオードＤ４を介して画像／符号メモリ１７に電力が供給される（図４の二点鎖線参照）。なお、通常モード、待機モードでは、充電回路３２により二次電池３３が充電される（図４の一点鎖線参照）。
【００４５】
ここで、画像／符号メモリ１７をバックアップするデータバックアップシステム２について説明する。データバックアップシステム２は、二次電池３３の残容量を正確に把握して充放電を制御し、主電源３０からの電力供給が停止されたときに、画像／符号メモリ１７に記憶されている画像データ等のバックアップを確実に行うものである。そのため、データバックアップシステム２は、上述した５Ｖ系ユニットに含まれる、メインＣＰＵ２０、ＲＯＭ２１、メインメモリ２２、ＳＲＡＭ２３、ＲＴＣ２４、主電源３０、一次電池３１、充電回路３２、二次電池３３、及び、３．３Ｖ系ユニットに含まれるサブＣＰＵ２５を有して構成されている。これらの構成要素は、上述したネットワーク複合機１の各機能に加えて、データバックアップ機能を実現する。
【００４６】
ＲＯＭ２１には、図５〜８に示される各処理（詳細は後述する）のプログラム等が記憶されている。ＲＯＭ２１に記憶されているプログラム等は、起動時にＤＲＡＭ等で構成されるメインメモリ２２にロードされる。メインＣＰＵ２０は、メインメモリ２２にロードされたプログラムに従って各処理を実行する。メインＣＰＵ２０は、特許請求の範囲に記載の制御手段として機能する。
【００４７】
ＳＲＡＭ２３は、主電源３０からの電力供給が停止されるとき、すなわち、主電源３０がオフされたとき、又は省電力モードへの移行時にＲＴＣ２４から読み出された電力停止時刻、及び、二次電池３３の残容量を示すカウンタ値等のデータを一時的に記憶する。ＳＲＡＭ２３は、特許請求の範囲に記載の第２記憶手段として機能する。ＳＲＡＭ２３には、通常モード時、待機モード時には、電源３０からダイオードＤ１を介して電力が供給される。一方、電源３０からの電力供給が停止される電源オフ時及び省電力モード時には、ＳＲＡＭ２３には、一次電池３１からダイオードＤ２を介して電力が供給されデータがバックアップされる。
【００４８】
ＲＴＣ２４は、常時稼働し、時刻を計時する。ＲＴＣ２４は、特許請求の範囲に記載の計時手段として機能する。ＲＴＣ２４には、通常モード時、待機モード時には、電源３０からダイオードＤ１を介して電力が供給される。一方、電源３０からの電力供給が停止される電源オフ時及び省電力モード時には、一次電池３１からダイオードＤ２を介して電力が供給され駆動される。
【００４９】
上述したように、主電源３０は、ＤＣ２４Ｖ，ＤＣ５Ｖ，ＤＣ３．３Ｖの３つの電力供給ラインを通してネットワーク複合機１を構成する各ユニットに電力を供給する。一次電池３１は、主電源３０からＤＣ５Ｖ系への電力供給が停止されたとき（省電力モード時、主電源オフ時）にＳＲＡＭ２３及びＲＴＣ２４に電力を供給する。充電回路３２は、主電源３０からの電力が供給されているとき（通常モード時、待機モード時）に二次電池３３を充電する。充電回路３２は、特許請求の範囲に記載の充電手段として機能する。なお、充電回路３２は、メインＣＰＵ２０によって、充電の実行／停止、及び充電電流値などが制御される。
【００５０】
二次電池３３は、主電源３０からＤＣ５Ｖ系への電力供給が停止されたとき（省電力モード時、主電源オフ時）に画像／符号メモリ１７に電力を供給してデータのバックアップを行う。二次電池３３としては、例えば、リチウムイオン電池、ニッケル水素電池などが好適に用いられる。なお、本実施形態では、１００ｍＡ×３６ｈで満充電となる充電特性を有する二次電池を使用した。また、二次電池３３の放電特性を図１０に示す。図１０の横軸は放電時間（ｈ）であり、縦軸は二次電池３３の電圧値（Ｖ）である。また、図１０では、放電量を二点差線で示し、二次電池３３の電圧値を実線で示した。図１０に示されるように、二次電池３３は、放電が進み残容量が一定値未満となるまでは、略一定の電圧値（例えば５Ｖ）を出力し、残容量が上記一定値を下まわると出力電圧が急激に低下する特性を有している。
【００５１】
メインＣＰＵ２０は、主電源３０がオフされたとき、又は、省電力モードへの移行時に、ＲＴＣ２４から電力供給停止時刻を取得してＳＲＡＭ２３に格納するとともに、二次電池３３の残容量を示すカウンタ値をＳＲＡＭ２３に格納する（図９中のｔ２，ｔ４参照）。また、メインＣＰＵ２０は、主電源３０からの電力供給が開始されたとき、すなわち、主電源スイッチ３５がオンされた際、又は、通常モードへ復帰した際に、ＲＴＣ２４から時刻（電力供給開始時刻）を取得し、該電力供給開始時刻とＳＲＡＭ２３に格納されている電力供給停止時刻とから、電力供給が停止されていた電力供給停止時間を求める（図９中のｔ３参照）。
【００５２】
メインＣＰＵ２０は、求められた電力供給停止時間、すなわち二次電池３３の放電時間に応じて、二次電池３３の残容量を示すカウンタ値を減算する（図９中のｔ３参照）。一方、メインＣＰＵ２０は、主電源３０からの電力供給が行なわれているとき（すなわち通常モード、待機モードにあるとき）、電力が供給されている電力供給時間、すなわち充電回路３２により二次電池３３が充電されている時間に応じて、カウンタ値をインクリメントする（図９中のｔ１〜ｔ２、ｔ３〜ｔ４参照）。
【００５３】
そして、メインＣＰＵ２０は、省電力モードへの移行要求が発生したとき、例えば、省電力モード移行キーが押された場合、省電力モード移行タイマーがタイムアップした場合に、上記カウンタ値がしきい値以上（例えば２５５）の場合には、省電力モードへ移行するように主電源３０に対して制御信号を出力する（図９中のｔ２，ｔ４参照）。一方、メインＣＰＵ２０は、省電力モードへの移行要求が発生したときに、カウンタ値が上記しきい値未満の場合には、待機モードへ移行するように主電源３０を制御し、充電回路３２への電力供給を維持する。なお、本実施形態では、カウンタ値は、０−２５５（ＦＦＨ）の値を取り、２５５が満充電を示す。また、本実施形態では、上記しきい値として、二次電池３３が満充電であることを示す値（２５５）に設定した。ただし、上記しきい値は、二次電池３３が満充電であることを示す値に限られることなく、任意に設定することができる。
【００５４】
さらに、メインＣＰＵ２０は、カウンタ値が満充電を示す値（本実施形態では２５５）に達した場合、二次電池３３に供給される充電電流を低減して、自然放電を補う程度の電流値となるように充電回路３２を制御する。
【００５５】
サブＣＰＵ２５は、省電力モードにおいても稼働され、省電力モードからの復帰トリガとしてのＦＡＸの着呼、省電力モードキーの入力操作、ＰＣプリントデータの受信などを監視するとともに、いずれかの復帰トリガが検知されたときに主電源３０へ復帰信号（復帰トリガ信号）を出力する。サブＣＰＵ２５は、特許請求の範囲に記載の補助制御手段として機能する。主電源３０は、サブＣＰＵ２５から出力された復帰信号を受けて、ＤＣ２４Ｖ系ユニット及びＤＣ５Ｖ系ユニットへの電力供給を再開し、省電力モードから通常モードへ電力状態を遷移させる。なお、待機モード中に、パネル部１０からのキー入力又はタッチパネル入力があったとき、又は、プリントジョブなどのジョブ要求があった場合には、ＤＣ２４Ｖ系ユニットへの電力供給が再開され、待機モードから通常モードへの移行が行われる。
【００５６】
次に、図５〜８を併せて用いて、ネットワーク複合機１に用いられたデータバックアップシステム２によるバックアップ処理について説明する。まず、図５を参照しつつ、データバックアップシステム２による、通常モードから省電力モードへの移行処理について説明する。図５は、データバックアップシステム２による、通常モードから省電力モードへの移行処理の処理手順を示すフローチャートである。なお、本処理は、メインＣＰＵ２０によって、所定のタイミングで実行される。
【００５７】
まず、ステップＳ１００では、ジョブが終了したか否かについての判断が行われる。なお、ジョブには、ＰＣプリント、コピーやＦＡＸ受信などのプリントジョブを伴うもの、Ｓｃａｎ  ｔｏ  Ｆｏｌｄｅｒ、Ｓｃａｎ  ｔｏ  Ｅ−ｍａｉｌ、ＦＡＸ送信などのスキャンジョブを伴うもの、機器設定などの入力操作を伴うものが挙げられる。ここで、ジョブが終了したと判断された場合には、ステップＳ１０２に処理が移行する。一方、ジョブがまだ終了していないときには、そのジョブが終了するまで、ステップＳ１００が繰り返して実行される。
【００５８】
ステップＳ１０２では、ジョブが終了してからの経過時間を計測するための省電力モード移行タイマーが起動される。続くステップＳ１０４では、省電力モード移行キーが操作されたか否かについての判断が行われる。ここで、省電力モード移行キーが操作された場合には、ステップＳ１０８に処理が移行する。一方、省電力モード移行キーが操作されていないときには、ステップＳ１０６に処理が移行する。
【００５９】
ステップＳ１０６では、省電力モード移行タイマーがタイムアップしたか否か、すなわち、ジョブが終了してから例えば１０分経過したか否かについての判断が行われる。ここで、省電力モード移行タイマーがタイムアップした場合には、ステップＳ１０８に処理が移行する。一方、省電力モード移行タイマーがまだタイムアップしていないときにはステップＳ１０４に処理が移行し、省電力モード移行キーが操作されるか、又は、省電力モード移行タイマーがタイムアップするまで、上述したステップＳ１０４及びステップＳ１０６の処理が繰り返して実行される。
【００６０】
省電力モード移行キーが操作されるか、又は、省電力モード移行タイマーがタイムアップした場合、ステップＳ１０８では、二次電池３３の残容量を示すカウンタ値がしきい値（例えば満充電を示す値である２５５）以上であるか否かについての判断が行われる。ここで、残容量を示すカウンタ値がしきい値以上の場合には、ステップＳ１１０に処理が移行する。一方、残容量を示すカウンタ値がしきい値未満のときには、ステップＳ１１４に処理が移行する。
【００６１】
ステップＳ１１０では、ＲＴＣ２４から時刻が読み出されるとともに、該時刻が、電力供給が停止される電力供給停止時刻としてＳＲＡＭ２３に格納される。続いて、ステップＳ１１２では、２４Ｖ系及び５Ｖ系の電力供給が停止され、通常モードから省電力モードへ電力状態が移行する。そして、メインＣＰＵ２０が停止する。また、二次電池３３への充電が停止するとともに、二次電池３３から画像／符号メモリ１７への電力供給が開始される（図９中のｔ２，ｔ４参照）。その後、本処理が終了する。
【００６２】
残容量を示すカウンタ値がしきい値未満の場合、ステップＳ１１４では、２４Ｖ系の電力供給が停止され、通常モードから待機モードへ電力状態が移行する。そして、電動モータなどの駆動系が停止されるとともに、操作キー及び液晶表示画面などが消灯される。その後、ステップＳ１０８に処理が移行し、上述した、ステップＳ１０８以降の処理が再度実行される。
【００６３】
次に、図６を参照しつつ、データバックアップシステム２による、主電源３０がオフされたときのオフ処理について説明する。図６は、データバックアップシステム２による、主電源３０がオフされたときのオフ処理の処理手順を示すフローチャートである。なお、本処理は、メインＣＰＵ２０によって、所定のタイミングで実行される。
【００６４】
まず、ステップＳ２００では、主電源３０がオフされたことが検知されたか否かについての判断が行われる。なお、主電源３０のオフ検知は、例えば、主電源３０を構成する、５Ｖから３．３Ｖを生成するＤＣ−ＤＣコンバータの出力電圧が２．９Ｖ以下になったか否かで行うことができる。ここで、主電源３０がオフされた場合には、ステップＳ２０２に処理が移行する。一方、主電源３０がオフされていないときには、主電源３０がオフされるまで、本処理が繰り返して実行される。
【００６５】
ステップＳ２０２では、ＲＴＣ２４から時刻が読み出されるとともに、該時刻が、電力供給が停止される電力供給停止時刻としてＳＲＡＭ２３に格納される。その後、本処理が終了する（図９中のｔ２参照）。
【００６６】
次に、図７を参照しつつ、データバックアップシステム２による、主電源３０がオンされたとき又は省電力モードから通常モードへ復帰するときの復帰処理について説明する。図７は、データバックアップシステム２による、主電源３０がオンされたとき又は省電力モードから通常モードへ復帰するときの復帰処理の処理手順を示すフローチャートである。なお、本処理は、サブＣＰＵ２５及びメインＣＰＵ２０によって、所定のタイミングで実行される。
【００６７】
まず、ステップＳ３００では、主電源３０がオンされたか否かについての判断が行われる。ここで、主電源３０がオンされた場合には、ステップＳ３０４に処理が移行する。一方、主電源３０がオンされていないときには、ステップＳ３０２に処理が移行する。
【００６８】
ステップＳ３０２では、省電力モードからの復帰トリガが検知されたか否かについての判断が行われる。なお、省電力モードからの復帰トリガとしては、例えば、ＦＡＸの着呼、省電力モードキーの入力操作、ＵＳＢケーブル又はＬＡＮを介してのＰＣプリントジョブの入力などが挙げられる。ここで、復帰トリガが検知された場合には、ステップ３０４に処理が移行する。一方、復帰トリガが検知されていないときには、ステップＳ３００に処理が移行し、主電源３０がオンされるか、又は復帰トリガが検知されるまで、上述したステップＳ３００，Ｓ３０２の処理が繰り返して実行される。
【００６９】
主電源３０がオンされるか、又は復帰トリガが検知された場合、ステップＳ３０４では、メインＣＰＵ２０を含むシステムの初期化動作が実行される（図９中のｔ１，ｔ３参照）。なお、このシステムの初期化動作には、メインＣＰＵ２０が充電回路３２を制御して、二次電池３３の充電を開始する動作が含まれる。続いて、ステップＳ３０６では、ＲＴＣ２４から時刻が読み出されるとともに、該時刻が、電力供給が開始される電力供給開始時刻としてＳＲＡＭ２３に記憶される。
【００７０】
次に、ステップＳ３０８では、ステップＳ３０６で取得された電源供給開始時刻から、ＳＲＡＭ２３に格納されている電源供給停止時刻が差し引かれることにより、電源供給が停止されていた電源供給停止時間が求められる（図９中のｔ３−ｔ２参照）。続くステップＳ３１０では、ステップＳ３０８で求められた電源供給停止時間に応じて、二次電池３３の残容量を示すカウンタの減算値が求められる。なお、カウンタの減算値は、例えば、電源供給停止時間が１０分で「１」と設定される。そして、求められた減算値が、カウンタの値から減算される（図９中のｔ３参照）。
【００７１】
次に、ステップＳ３１２では、所定時間毎に残容量を示すカウンタに所定値が加算（例えば、１０分毎に「１」加算）される。なお、電源供給停止時間（放電時間）と減算値、電源供給時間（充電時間）と加算値は、二次電池３３の充放電特性、充電電流、放電電流等に基づいて設定される。
【００７２】
続くステップＳ３１４では、残容量を示すカウンタの値が満充電を示す値（例えば２５５）であるか否かについての判断が行われる。ここで、カウンタ値が満充電を示す値である場合には、ステップＳ３１６に処理が移行する。一方、カウンタ値が満充電を示す値に達していないときには、ステップＳ３１２に処理が移行し、カウンタ値が満充電を示す値に達するまで、上述したステップＳ３１２，Ｓ３１４の処理が繰り返して実行される。
【００７３】
カウンタ値が満充電を示す値である場合には、ステップＳ３１６において、二次電池３３の過充電を防止するために、充電回路３２が制御され、二次電池３３に供給される充電電流が、例えば自然放電を補う程度の電流値に低減される。その後、本処理を終了する。
【００７４】
次に、図８を参照しつつ、データバックアップシステム２による、待機モードから通常モードへの復帰処理について説明する。図８は、データバックアップシステム２による、待機モードから通常モードへの復帰処理の処理手順を示すフローチャートである。なお、本処理は、メインＣＰＵ２０によって、所定のタイミングで実行される。
【００７５】
まず、ステップＳ４００では、キー又はタッチパネルの操作入力が検知されたか否かについての判断が行われる。ここで、キー又はタッチパネルの操作入力が検知された場合には、ステップＳ４０４に処理が移行する。一方、キー及びタッチパネルの操作入力が検知されていないときには、ステップＳ４０２に処理が移行する。
【００７６】
ステップＳ４０２では、例えばＰＣプリントジョブなどのジョブ要求があったか否かについての判断が行われる。ここで、ジョブ要求があった場合には、ステップＳ４０４に処理が移行する。一方、ジョブ要求がないときには、ステップＳ４００に処理が移行し、キー又はタッチパネルの操作入力が検知されるか、ジョブ要求があるまで、上述したステップＳ４００，Ｓ４０２の処理が繰り返して実行される。
【００７７】
ステップＳ４００又はＳ４０２が肯定された場合、ステップＳ４０４では、待機モードから通常モードへ電力状態が移行する。そして、２４Ｖ系への電力供給が再開される。その後、本処理が終了する。
【００７８】
本実施形態によれば、５Ｖ系ユニットに対する主電源３０からの電力供給が停止されるときに、電力供給停止時刻がＳＲＡＭ２３に記憶される。一方、５Ｖ系ユニットに対する電力供給が開始されたときに、ＲＴＣ２４から電力供給開始時刻が取得され、該電力供給開始時刻とＳＲＡＭ２３に記憶されている電力供給停止時刻とから５Ｖ系ユニットへの電力供給が停止されていた電力供給停止時間が求められる。そして、求められた電力供給停止時間（すなわち、二次電池３３の放電時間）に応じて、二次電池３３の残容量を示すカウンタ値が減算される。一方、５Ｖ系ユニットに対して電力供給が行なわれているときに、電力が供給されている電力供給時間（すなわち、充電回路３２により二次電池３３が充電されている時間）に応じて、カウンタ値がインクリメントされる。そのため、カウンタ値から二次電池３３の残容量を正確に把握することができる。そして、通常モードから省電力モードへの移行要求が発生したときに、カウンタ値がしきい値以上の場合には、省電力モードへ移行し（すなわち、電源３０を制御して５Ｖ系ユニットに対する電力供給を停止し）、カウンタ値がしきい値未満の場合には、省電力モードへの移行が禁止される。よって、二次電池３３の残容量が充分でないときには、５Ｖ系ユニットに対する電力供給が維持され、二次電池３３に対する充電が継続される。以上の結果、電源３０からの電力供給が停止されたときに画像／符号メモリ１７をバックアップする二次電池３３の残容量をより正確に把握でき、画像／符号メモリ１７に記憶されているデータのバックアップをより確実に行うことが可能となる。
【００７９】
また、本実施形態によれば、主電源スイッチ３５がオフされたとき、又は、省電力モードへ移行する際に、電力供給停止時刻がＳＲＡＭ２３に記憶される。一方、主電源スイッチ３５がオンされた際、又は、省電力モードから通常モードへ復帰した際に、電力供給開始時刻が取得され、該電力供給開始時刻とＳＲＡＭ２３に記憶されている電力供給停止時刻とから５Ｖ系ユニットへの電力供給が停止されていた電力供給停止時間が求められる。よって、５Ｖ系ユニットへの電力供給が停止されていた電力供給停止時間を正確に求めることができ、二次電池３３の放電量を正確に把握することが可能となる。
【００８０】
本実施形態によれば、上述したしきい値が、二次電池３３が満充電であることを示す値に設定されているため、二次電池３３が満充電されるまで、省電力モードへの移行が禁止され、二次電池３３への充電が継続される。よって、二次電池３３が満充電されるように制御することができる。
【００８１】
本実施形態によれば、二次電池３３の残容量を示すカウンタ値が満充電を示す値に達した場合、すなわち、二次電池３３が満充電となった場合に充電電流が低減されるため、二次電池３３の過充電を防止し、二次電池３３の劣化を防止することが可能となる。
【００８２】
本実施形態によれば、省電力モードにあるときに、サブＣＰＵ２５によって、省電力モードからの復帰トリガとしてのＦＡＸの着呼、省電力モードキーの入力操作、ＰＣプリントデータの受信などが監視される。そして、いずれかの復帰トリガが検知されたときに、省電力モードから通常モードへの復帰トリガ信号が主電源３０へ出力される。そして、主電源３０から５Ｖ系ユニットに対する電力供給が開始される。よって、適確に通常モードに復帰することが可能となる。
【００８３】
以上、本発明の実施の形態について説明したが、本発明は、上記実施形態に限定されるものではなく種々の変形が可能である。例えば、上記実施形態では、データバックアップシステム２を、ネットワーク複合機１に適用したが、適用対象はネットワーク複合機に限られることなく、例えば、単機能のプリンタ、コピー機、ファクシミリ装置に適用することもできる。また、ネットワーク端末などの電子機器に用いることもできる。
【００８４】
また、上記実施形態では、ネットワーク複合機１が３つの電力供給ラインを有し、それぞれ電圧値が異なる電力を供給する構成とされていたが、電力供給ラインの数は３つに限られることなく、また、供給される電力の電圧値は必ずしも異なっている必要はない。
【００８５】
上記実施形態では、一次電池３１によりバックアップされたＳＲＡＭ２３を用いたが、ＳＲＡＭに代えて、書込み・消去可能な不揮発性のメモリ、例えばＥＥＰＲＯＭ、フラッシュメモリなどを用いてもよい。また、メインＣＰＵ２０によって、充電回路３２から出力される充電電流をダイナミックに制御する構成としてもよい。
【符号の説明】
【００８６】
１  ネットワーク複合機
２  データバックアップシステム
１０  パネル部
１１  スキャナ部
１２  プリンタ部
１３  ネットワーク部
１４  モデム
１５  ＮＣＵ
１６  システムＬＳＩ
１７  画像／符号メモリ
２０  メインＣＰＵ
２１  ＲＯＭ
２２  メインメモリ
２３  ＳＲＡＭ
２４  ＲＴＣ
２５  サブＣＰＵ
３０  主電源
３１  一次電池
３２  充電回路
３３  二次電池
３５  主電源スイッチ
４０  バス
【図１】
0005691284.tif 000002
【図２】
0005691284.tif 000003
【図３】
0005691284.tif 000004
【図４】
0005691284.tif 000005
【図５】
0005691284.tif 000006
【図６】
0005691284.tif 000007
【図７】
0005691284.tif 000008
【図８】
0005691284.tif 000009
【図９】
0005691284.tif 000010
【図１０】
0005691284.tif 000011